(57)【要約】【課題】携帯型情報処理装置、携帯電話端末等において、場所( 面積) を取らず、小型軽量化、薄型化ができ、長時間使用しても疲労感の無い操作性の良い、情報入力装置を提供すること。【解決手段】回転自在な円筒形状で回転軸方向に左右に移動可能な操作手段を持ち、前記操作手段の回転方向及び回転量を検出する回動検出手段と、前記操作手段の回転軸方向に沿う一端に移動したのを検出する第１の検出手段と、前記操作手段の回転軸方向に沿う他端に移動したのを検出する第２の検出手段と、前記回動検出手段と、前記第１及び第２の移動検出手段の出力に基づいてカーソルを表示画面の上下、左右及び斜めに移動させるカーソル制御手段とを含んで情報入力装置を構成する。【選択図】図１
2006023915.tif 000002
【特許請求の範囲】
【請求項１】
回転自在な円筒形状で回転軸方向に左右に移動可能な操作手段を持ち、前記操作手段の回転方向及び回転量を検出する回動検出手段と、前記操作手段の回転軸方向に沿う一端に移動したのを検出する第１の検出手段と、前記操作手段の回転軸方向に沿う他端に移動したのを検出する第２の検出手段と、前記回動検出手段と、前記第１及び第２の移動検出手段の出力に基づいてカーソルを表示画面の上下、左右及び斜めに移動させるカーソル制御手段とを備えことを特徴とする情報入力装置。
【請求項２】
前記操作手段において、左または右に移動した後、更に左又は右に押すことにより、その動作を検出する第３及び第４の検出手段を備えたことを特徴とする請求項１記載の情報入力装置。
【請求項３】
前記操作手段において、回転軸に対して回転軸部が垂直に押下げられたことを検出する少なくとも１つ以上の検出手段を備えたことを特徴とする請求項１記載の情報入力装置。
【請求項４】
前記操作手段において、左右に移動した後は、通常真中位置に戻ることを特徴とする請求項１記載の情報入力装置。
【請求項５】
前記操作手段において、円筒部形状がツヅミ状になっていることを特徴とする請求項１記載の情報入力装置。
【請求項６】
前記操作手段において、円筒部形状がローレット形状になっていることを特徴とする請求項１記載の情報入力装置。
【発明の詳細な説明】
【技術分野】
【０００１】
本発明は、携帯型情報処理装置、携帯電話端末等の情報入力装置に関する。
【背景技術】
【０００２】
近年、携帯型情報処理装置（ノート型ＰＣ、ＰＤＡ）、携帯電話端末等、益々小型化、薄型化、軽量化を必要とされている。
【０００３】
図６（ａ）〜（ｃ）には、一般的なノートＰＣの外観概略図を示す。図６（ａ）においては、携帯ＰＣ本体１０１、タッチパネル部１０２、ボタン（Ａ）１０３、ボタン（Ｂ）１０４を示す。又、図６（ｂ）には別の例を示す。携帯ＰＣ本体１０５、ジョイスティック１０６、ボタン（Ａ）１０７、ボタン（Ｂ）１０８、ホイール１０９を示す。更に、図６（ｃ）に他の例を示す。ここで、携帯ＰＣ本体１１０、トラックボール１１１、ボタン（Ａ）１１２、ボタン（Ｂ）１１３を示す。
【０００４】
図６（ａ）の場合は、タッチパネル１０２上に指を当てて移動することにより、カーソルの移動を行う。図６（ｂ）の場合は、ジョイスティック１０６部に指を押し当てて、ジョイスティック１０６を前後左右に移動させることでカーソルの移動を行う。更に、図に示すように、ホイール１０９が取り付けられていて、これを回転させることにより、画面のスクロールを行うことができるものもある。更に、図６（ｃ）の場合は、トラックボール１１１を上下左右に回転させることによりカーソルの移動を行う。何れの場合も、カーソルの移動後、ボタン（Ａ）１０３，１０７，１１２、ボタン（Ｂ）１０４，１０８，１１３により、入力の選択、確定、取り消し等を行う。
【０００５】
図７にＰＤＡの一例を示す。ここで、ＰＤＡ本体１１４、回転体入力、 選択装置１１５、押す部１１５ｂを示す。これは、回転体１１５を上下に回転させ、メニュー等を選択後、回転体１１５の押す部１１５ｂを回転軸垂直方向へ押し下げることにより、入力選択、確定等を行う。更に、図８に、この円筒形状の回転体入力装置の例の概略図を示す。円筒形状の回転を検出する検出部と、円筒形状を押し下げることにより更にそれを検出し、入力を行う検出部から成っている。
【０００６】
【特許文献１】特願平１０−１５５１００号公報
【発明の開示】
【発明が解決しようとする課題】
【０００７】
しかしながら、図６及び図７に示した従来の入力装置においては、例えば図６（ａ）のタッチパネルを使用した例の場合は、或る程度操作性を良くするためには、タッチパネルの大きさを或る程度大きく取らなければならない。そのために、携帯型ＰＣの小型化に支障になっている。更に、これをＰＤＡに搭載するのには大きさ的に無理がある。
【０００８】
図６（ｂ）の例の場合は、キーボード中にジョイスティックを配置する必要があり、 操作がしにくい、カーソルを斜め方向へ移動するのが困難である。更に、ホイールは、単に画面のスクロール等のみの動作で、カーソルを斜め方向へ移動することができない。
【０００９】
図６（ｃ）のトラックボールを使用した例の場合は、前述したタッチパネルと同じく、或る程度操作性を良くするためには、トラックボールの大きさを或る程度大きく取らなければならず、携帯型ＰＣの小型化に支障になっている。更に、これも又ＰＤＡに搭載するのには大きさ的に無理がある。又、上記何れの場合も、無理に小型化した場合、長時間の操作に絶え得るものではなく、使い易さ、操作性、操作感、操作時の疲労感等、問題がある。
【００１０】
図７のＰＤＡの例では、カーソルを上下に移動するだけのためのものであり、斜めに移動はできない。
【００１１】
何れの例も、カーソル移動装置と確定、 選択等のボタンが別体になっているいので、配置するための面積を取り、情報入力装置の小型化、使い易さに大きな問題となっている。
【００１２】
本発明は、上述の不具合を解決するためになされたものであり、携帯型情報処理装置、携帯電話端末等において、場所( 面積) を取らず、小型軽量化、薄型化ができ、長時間使用しても疲労感の無い操作性の良い、情報入力装置を提供することを目的とする。
【課題を解決するための手段】
【００１３】
上記目的を達成するため、請求項１記載の発明は、回転自在な円筒形状で回転軸方向に左右に移動可能な操作手段を持ち、前記操作手段の回転方向及び回転量を検出する回動検出手段と、前記操作手段の回転軸方向に沿う一端に移動したのを検出する第１の検出手段と、前記操作手段の回転軸方向に沿う他端に移動したのを検出する第２の検出手段と、前記回動検出手段と、前記第１及び第２の移動検出手段の出力に基づいてカーソルを表示画面の上下、左右及び斜めに移動させるカーソル制御手段とを備えことを特徴とする。
【００１４】
請求項２記載の発明は、請求項１記載の発明において、前記操作手段において、左または右に移動した後、更に左又は右に押すことにより、その動作を検出する第３及び第４の検出手段を備えたことを特徴とする。
【００１５】
請求項３記載の発明は、請求項１記載の発明において、前記操作手段において、回転軸に対して回転軸部が垂直に押下げられたことを検出する少なくとも１つ以上の検出手段を備えたことを特徴とする。
【００１６】
請求項４記載の発明は、請求項１記載の発明において、前記操作手段において、左右に移動した後は、通常真中位置に戻ることを特徴とする。
【００１７】
請求項５記載の発明は、請求項１記載の発明において、前記操作手段において、円筒部形状がツヅミ状になっていることを特徴とする。
【００１８】
請求項６記載の発明は、請求項１記載の発明において、前記操作手段において、円筒部形状がローレット形状になっていることを特徴とする。
【発明の効果】
【００１９】
本発明によれば、円筒形状で回転、左右に移動する操作手段を使い、携帯型ＰＣ、ＰＤＡ等の角に配置することができるので、場所を取らず、小型軽量化、
薄型化が可能である。
【００２０】
円筒状入力操作部のみで、選択、確定等の操作、動作もできるので、更に配置のスペース的に有利である。
【００２１】
又、キーボード手前の場所空いた部分をパームレストとして使用でき、尚且つ、円筒形状で回転、
左右に移動する操作手段を使うため、カーソルの移動の操作が容易である。
【００２２】
以上の理由で、長時間使用しても手が疲れず、使用勝手が優れている。
【００２３】
更に、操作部の円筒形状がツヅミ状になっているため、指の掛が良く、操作性に優れている。
【発明を実施するための最良の形態】
【００２４】
以下に本発明の実施の形態を添付図面に基づいて説明する。
【００２５】
図１は本発明の情報入力機器の一例を搭載した携帯型ＰＣを示す。ここで、携帯型ＰＣ本体１、ＰＣパネル蓋部２、ＬＣＤパネル部３、ＰＣパネル蓋部のヒンジ部４、パワーＳＷ５、キーボード部６、円筒状入力操作部７、カーソル８を示す。ここで、円筒状入力操作部７は、図中Ａ方向、逆Ａ方向へ、
回転軸９を中心に自在に回転し、更に、回転軸９に沿って、図中Ｂ、逆Ｂ方向へ自在に移動可能に配置されている。又、後述する検出部により、前述した回転、移動の動作を検出するようになっている。
【００２６】
ここで、円筒状の入力操作部７を図中Ａ方向へ回転させると、ＬＣＤパネル部８、上のカーソル８はＬＣＤパネル部８を図中Ａ’方向へ移動する。又、円筒状の入力操作部７を図中逆Ａ方向へ回転させると、ＬＣＤパネル部８、上のカーソル８はＬＣＤパネル部８を図中−Ａ’方向へ移動させ。次に、円筒状の入力操作部７を図中Ｂ方向へ移動させると、ＬＣＤパネル部８、上のカーソル８はＬＣＤパネル部８を図中Ｂ’方向へ移動させる。更に、円筒状の入力操作部７を図中逆Ｂ方向へ移動させると、ＬＣＤパネル部８、上のカーソル８はＬＣＤパネル部８を図中−Ｂ’方向へ移動させる。
【００２７】
今、円筒状入力操作部７を図中Ａ方向へ或る角度回転させて止めたとする。図中、カーソル８は、ＬＣＤパネル部８上を図中ｏ位置からａ方向へ移動して停止する。又は、円筒状入力操作部７を図中Ｂ方向へ移動して或る時間経過した後、止めたとする。図中、カーソル８は、ＬＣＤパネル部８上を図中ｏ位置からｂ方向へ移動して停止する。更に、円筒状入力操作部７を図中Ｂ方向へ移動し押し付けつつ、図中Ａ方向へ或る角度回転させて止めたとする。図中、カーソル８は、ＬＣＤパネル部８上を図中ｏ位置からｃ方向へ移動して停止する。
【００２８】
ここで、図２に、円筒状入力操作部７について詳細の概略図を示す。
【００２９】
回転軸部９、保持壁及び軸受け部（Ｌ）１０Ｌ、保持壁及び軸受け部（Ｒ）１０Ｒ、回転検出部１１、左側移動検出部１２Ｌ、右側移動検出部１２Ｒ、戻しバネＬ１３Ｌ、戻しバネＲ１３Ｒ、ＣＰＵ１４、ＬＣＤパネル駆動回路１５を示す。又、３はＬＣＤパネル、８はカーソルを示す。
【００３０】
今、円筒上入力操作部７を図中Ａ方向又は図中逆Ａ方向（−Ａ）へ回転させると、円筒部とともに軸９は、保持壁及び軸受け部（Ｌ）１０Ｌ、保持壁及び軸受け部（Ｒ）１０Ｒに嵌合して回転する。この回転量を、回転検出部１１が検出し、その回転量の信号をＣＰＵ１４へ転送する。ＣＰＵ１４は更に信号をＬＣＤパネル駆動回路１５へ転送し、実際に、ＬＣＤパネル３上でカーソル８の移動の表示が行われる。
【００３１】
次に、円筒入力操作部７を図中Ｂ方向へ移動させると、軸９は、保持壁及び軸受け部（Ｌ）１０Ｌ、保持壁及び軸受け部（Ｒ）１０Ｒに沿ってＢ方向へ移動し、軸の先端部９ｂは、移動検出部１２Ｒを押圧する。移動検出部１２Ｒは、これを検出し、前述回転移動の場合と同様に、ＣＰＵ１４へ信号を転送、駆動回路１５を経てＬＣＤパネル３上で、カーソル８の移動の表示が行われる。更に、図中逆Ｂ方向（−Ｂ）へ移動した場合は、同様に軸９は、保持壁及び軸受け部（Ｌ）１０Ｌ、保持壁及び軸受け部（Ｒ）１０Ｒに沿って−Ｂ方向へ移動し、軸の先端部９ｃは、移動検出部１２Ｌを押圧する。移動検出部１２Ｌは、これを検出し、前述移動の場合と同様に、ＣＰＵ１４へ信号を転送、駆動回路１５を経て、ＬＣＤパネル３上で、カーソル８の移動の表示が行われる。ここで、円筒状入力操作部７が図中、Ｂ若しくは−Ｂ方向へ移動された場合、その押し圧を解除すると、戻しバネＬ１３Ｌ、戻しバネＲ１３Ｒによりニュートラルの位置に復帰させされる。
【００３２】
次に、左側移動検出部１２Ｌ、右側移動検出部１２Ｒが２段押し構造になっている。カーソル８を或る位置から所定の位置に動作、移動させて、そこのメニュー上の或る項目を選択する場合、図３に示すように、円筒状入力操作部７を上部へ回転しつつ、左側へ移動し、カーソル８がパネル３上のメニュー上の項目Ｂに来たときに、更に、左に押すことにより、このメニュー上から項目Ｂを選択することができる。
【００３３】
次に、図４に他の実施の形態を示す。
【００３４】
図４において、保持壁及び軸受け部（Ｌ）１０Ｌは、図中下方向へ移動可能になっていて、戻しバネ１６で図中の位置に符勢されている。今、円筒状入力操作部７の７b 部分を図中Ｃ方向へ押すと、保持壁及び軸受け部（Ｌ）１０Ｌの押し圧部１７が移動検出部１８を押圧する。これは、前述した回転、移動の検出と同様にＣＰＵ１４へ信号が転送され、メニュー上の項目の確定等の動作の指示となる。図中Ｃ方向への押し圧を取り止めると、戻しバネ１６により、円筒部入力操作部７、保持壁及び軸受け部（Ｌ）１０Ｌ等はニュートラルの位置へ配置される。前述したように、円筒状入力操作部でカーソルを移動後、カーソルが所定の位置に来たときに、円筒状入力操作部を回転軸に垂直に下方向へ押すことにより、確定、その他の動作をすることができる。
【００３５】
この例では、移動検出部１８は、保持壁及び軸受け部（Ｌ）１０Ｌの下側に配置しているが、保持壁および軸受け部（Ｒ）１０Ｒ側でも構わない。更に、円筒状の下側に配置しても同様の動作ができ、効果が得られる。
【００３６】
次に、図５に円筒上入力操作部７の形状を示す。
【００３７】
図５（ａ）に示すように、円筒状入力操作部の円筒形状をツヅミ上にすることにより、指の掛が良く、滑らなくなり、更に操作性がアップする。又、図５（ｂ）に示すように、（ｂ−１），（ｂ−２，、（ｂ−３）のような、縦、横、格子状のローレットを切ることによっても、指の滑りがなく、掛が良くなり、操作性がアップする。
【００３８】
以上に説明した、円筒状の入力操作部においては、円筒形状で回転、左右に移動する操作手段を使うため、携帯型ＰＣ、ＰＤＡ等の角に配置することができ、場所を取らず、小型軽量化、
薄型化が可能である。又、キーボード手前の場所の空いた部分はパームレスト等として使うことができ、円筒形状で回転、左右に移動する操作手段を使うため、カーソルの移動の操作が用意である。更に、操作部の円筒形状がツヅミ状になっているため、指の掛が良く、操作性に優れている。
【図面の簡単な説明】
【００３９】
【図１】本発明に係る携帯型ＰＣの斜視図である。
【図２】本発明の実施の形態の概念を示した概略図である。
【図３】本発明の実施の形態における液晶パネル上のカーソルの動作を示す図である。
【図４】本発明の他の実施の形態の概念を示した概略図である。
【図５】本発明の円筒操作部の例を示す図である。
【図６】従来の携帯型ＰＣの入力操作部を示す斜視図である。
【図７】従来のＰＤＡの入力操作部を示す斜視図である。
【図８】円筒形状の回転体入力装置の概略図である。
【符号の説明】
【００４０】
１     携帯型ＰＣ
２     ＰＣパネル蓋部
３     ＬＣＤパネル部
４     ＰＣパネル蓋ヒンジ部
５     パワーＳＷ
６     キーボード部
７     円筒入力操作部
８     カーソル
９    円筒入力操作部の回転軸
１０Ｌ  右側の壁部及び軸受け部
１０Ｒ  左側の壁部及び軸受け部
１１    転検出部
１２    移動検出部
１３    戻しバネ
１４    ＣＰＵ
１５    液晶パネル駆動回路部
１６    戻しバネ
１７    ＳＷ（垂直移動）押し圧部
１８    移動（垂直）検出部
【図１】
2006023915.tif 000003
【図２】
2006023915.tif 000004
【図３】
2006023915.tif 000005
【図４】
2006023915.tif 000006
【図５】
2006023915.tif 000007
【図６】
2006023915.tif 000008
【図７】
2006023915.tif 000009
【図８】
2006023915.tif 000010